(57)【要約】  基地局の電力を制御するための方法およびネットワークデバイスが開示される。本発明の実施形態は、プライマリサイトおよびプライマリサイトに関連するセカンダリサイトのサービスの量を取得し、サービスの量に応じてプライマリサイトに関連するセカンダリサイトの電力を制御し、そのようにして、基地局の電力を柔軟に制御し、リソースを合理的に利用する。
2014504092.tif 000002
【特許請求の範囲】
【請求項１】
基地局の電力を制御するための方法であって、
プライマリサイトおよび前記プライマリサイトに関連するセカンダリサイトのトラフィック量を取得するステップであって、前記プライマリサイトおよび前記セカンダリサイトは、事前に設定されたポリシーに従って基地局をカテゴリー分けすることによって得られる、ステップと、
前記プライマリサイトおよび前記プライマリサイトに関連する前記セカンダリサイトの前記トラフィック量に応じて、前記プライマリサイトに関連する前記セカンダリサイトの電力を制御するステップと
を含む、方法。
【請求項２】
前記プライマリサイトおよび前記プライマリサイトに関連する前記セカンダリサイトの前記トラフィック量に応じて、前記プライマリサイトに関連する前記セカンダリサイトの電力を前記制御するステップが、
前記プライマリサイトおよび前記プライマリサイトに関連する前記セカンダリサイトの前記トラフィック量が第1の事前に設定された閾値以下であると判定するとき、前記プライマリサイトに関連する前記セカンダリサイトに前記電力を減らすように命令するステップ
を含む請求項1に記載の方法。
【請求項３】
前記プライマリサイトおよび前記プライマリサイトに関連する前記セカンダリサイトの前記トラフィック量に応じて、前記プライマリサイトに関連する前記セカンダリサイトの電力を前記制御するステップが、
前記プライマリサイトの前記トラフィック量が第2の事前に設定された閾値を超えると判定するとき、前記プライマリサイトに関連する前記セカンダリサイトに開始するかまたは前記電力を増やすように命令するステップ
を含む請求項1に記載の方法。
【請求項４】
前記プライマリサイトおよび前記プライマリサイトに関連する前記セカンダリサイトの前記トラフィック量が第1の事前に設定された閾値以下であると前記判定することが、
前記プライマリサイトおよび前記プライマリサイトに関連する前記セカンダリサイトの前記トラフィック量が、事前に設定された期間中、前記第1の事前に設定された閾値以下であると判定すること
を含む請求項2に記載の方法。
【請求項５】
前記プライマリサイトおよび前記プライマリサイトに関連する前記セカンダリサイトのトラフィック量を前記取得するステップが、
運用保守デバイスによって、前記プライマリサイトおよび前記プライマリサイトに関連する前記セカンダリサイトのユーザ数または無線ベアラの利用率を監視することによって前記プライマリサイトおよび前記プライマリサイトに関連する前記セカンダリサイトの前記トラフィック量を判定するステップを含み、
前記プライマリサイトおよび前記プライマリサイトに関連する前記セカンダリサイトの前記トラフィック量に応じて、前記プライマリサイトに関連する前記セカンダリサイトの電力を前記制御するステップが、前記運用保守デバイスによって、前記プライマリサイトおよび前記プライマリサイトに関連する前記セカンダリサイトの前記トラフィック量に応じて、前記プライマリサイトに関連する前記セカンダリサイトの前記電力を制御するステップを含む
請求項1から4のいずれか一項に記載の方法。
【請求項６】
前記プライマリサイトおよび前記プライマリサイトに関連する前記セカンダリサイトのトラフィック量を前記取得するステップが、
前記プライマリサイトおよび前記プライマリサイトに関連する前記セカンダリサイトによって、前記プライマリサイトおよび前記プライマリサイトに関連する前記セカンダリサイトのユーザ数または無線ベアラRBの利用率を調べることによって前記プライマリサイトおよび前記プライマリサイトに関連する前記セカンダリサイトのトラフィック量をそれぞれ取得し、前記プライマリサイトによって、前記プライマリサイトおよび前記プライマリサイトに関連する前記セカンダリサイトの前記トラフィック量を取得するステップを含み、
前記プライマリサイトおよび前記プライマリサイトに関連する前記セカンダリサイトの前記トラフィック量に応じて、前記プライマリサイトに関連する前記セカンダリサイトの電力を制御する前記ステップが、前記プライマリサイトによって、受信されたトラフィック量に応じて、前記プライマリサイトに関連する前記セカンダリサイトの前記電力を制御するステップ
を含む請求項1から4のいずれか一項に記載の方法。
【請求項７】
前記プライマリサイトおよび前記プライマリサイトに関連する前記セカンダリサイトの前記トラフィック量に応じて、前記プライマリサイトの電力を制御するステップ
をさらに含む請求項1から6のいずれか一項に記載の方法。
【請求項８】
前記プライマリサイトおよび前記プライマリサイトに関連する前記セカンダリサイトのトラフィック量を前記取得するステップの前に、
現在の時間が事前に設定された管理時間の期間内であると判定するステップ
をさらに含む請求項1から7のいずれか一項に記載の方法。
【請求項９】
前記現在の時間が前記事前に設定された管理時間内ではない場合、事前に設定された開始もしくは電力の増加の時間に従って、前記プライマリサイトおよび前記プライマリサイトに関連する前記セカンダリサイトに開始するかもしくは電力を増やすように命令し、ならびに/または事前に設定された電力の削減の時間に従って、前記プライマリサイトおよび前記プライマリサイトに関連する前記セカンダリサイトに電力を削減するように命令するステップ
をさらに含む請求項8に記載の方法。
【請求項１０】
前記プライマリサイトおよび前記プライマリサイトに関連する前記セカンダリサイトの前記トラフィック量が第1の事前に設定された閾値以下であると前記判定することが、
サービスが前記プライマリサイトにも前記プライマリサイトに関連する前記セカンダリサイトにもアクセスしないことを含み、
前記プライマリサイトに関連する前記セカンダリサイトに電力を削減するように前記命令するステップが、前記プライマリサイトに関連する前記セカンダリサイトをシャットダウンするステップを含む
請求項2に記載の方法。
【請求項１１】
基地局の電力を制御するための方法であって、
運用保守デバイスまたは別の基地局によって送信された命令を受信するステップであって、前記別の基地局は、ローカルサイトに関連するプライマリサイト、または前記ローカルサイトに関連するプライマリサイトに関連する別のセカンダリサイトである、ステップと、
前記命令の指示に従って、前記ローカルサイトの電力および/または前記ローカルサイトに関連する前記セカンダリサイトの電力を制御するステップであって、前記命令の前記指示は、前記プライマリサイトおよび前記プライマリサイトに関連する前記セカンダリサイトのトラフィック量に応じて決定される、ステップと
を含む、方法。
【請求項１２】
プライマリサイトおよび前記プライマリサイトに関連するセカンダリサイトのトラフィック量を取得するように構成された取得ユニットであって、前記プライマリサイトおよび前記セカンダリサイトは、事前に設定されたポリシーに従って基地局をカテゴリー分けすることによって得られる、取得ユニットと、
前記取得ユニットによって取得される前記プライマリサイトおよび前記プライマリサイトに関連する前記セカンダリサイトの前記トラフィック量に応じて、前記プライマリサイトに関連する前記セカンダリサイトの電力を制御するように構成された制御ユニットと
を備えるネットワークデバイス。
【請求項１３】
前記制御ユニットが、判定サブユニットおよび第1の命令サブユニットを含み、
前記判定サブユニットは、前記プライマリサイトおよび前記プライマリサイトに関連する前記セカンダリサイトの前記トラフィック量が第1の事前に設定された閾値以下であるかどうかを判定するように構成され、
前記第1の命令サブユニットは、前記判定サブユニットが前記プライマリサイトおよび前記プライマリサイトに関連する前記セカンダリサイトの前記トラフィック量が前記第1の事前に設定された閾値以下であると判定するとき、前記プライマリサイトに関連する前記セカンダリサイトに電力を削減するように命令するように構成されている
請求項12に記載のネットワークデバイス。
【請求項１４】
前記判定サブユニットは、前記プライマリサイトの前記トラフィック量が第2の事前に設定された閾値を超えるかどうかを判定するようにさらに構成され、
前記ネットワークデバイスは、前記判定サブユニットが前記プライマリサイトの前記トラフィック量が前記第2の事前に設定された閾値を超えると判定するとき、前記プライマリサイトに関連する前記セカンダリサイトに開始するかまたは電力を増やすように命令するように構成された第2の命令サブユニット
をさらに備える請求項13に記載のネットワークデバイス。
【請求項１５】
前記判定サブユニットは、特に、前記プライマリサイトおよび前記プライマリサイトに関連する前記セカンダリサイトの前記トラフィック量が、事前に設定された期間中、前記第1の事前に設定された閾値以下であるかどうかを判定するように構成され、
前記第1の命令サブユニットは、特に、前記判定サブユニットが、前記プライマリサイトおよび前記プライマリサイトに関連する前記セカンダリサイトの前記トラフィック量が、前記事前に設定された期間中、前記第1の事前に設定された閾値以下であると判定するとき、前記プライマリサイトに関連する前記セカンダリサイトに電力を削減するように命令するように構成されている
請求項13に記載のネットワークデバイス。
【請求項１６】
前記取得ユニットは、特に、前記プライマリサイトおよび前記セカンダリサイトのユーザ数または無線ベアラの利用率を監視することによって前記プライマリサイトおよび前記プライマリサイトに関連する前記セカンダリサイトの前記トラフィック量を判定するように構成されている
請求項12から15のいずれか一項に記載のネットワークデバイス。
【請求項１７】
前記制御ユニットは、前記取得ユニットによって取得される前記プライマリサイトおよび前記プライマリサイトに関連する前記セカンダリサイトの前記トラフィック量に応じて前記プライマリサイトの電力を制御するようにさらに構成されている
請求項12から16のいずれか一項に記載のネットワークデバイス。
【請求項１８】
判定ユニットをさらに備え、
前記判定ユニットは、現在の時間が事前に設定された管理時間内であるかどうかを判定するように構成され、
前記取得ユニットは、前記判定ユニットが前記現在の時間が前記事前に設定された管理時間内であると判定するときに前記プライマリサイトおよび前記プライマリサイトに関連する前記セカンダリサイトの前記トラフィック量を取得するようにさらに構成されている
請求項12から17のいずれか一項に記載のネットワークデバイス。
【請求項１９】
第3の命令ユニットをさらに備え、
前記第3の命令ユニットは、前記判定ユニットが前記現在の時間が前記事前に設定された管理時間内ではないと判定する場合、事前に設定された開始もしくは電力の増加の時間に従って、前記プライマリサイトおよび前記プライマリサイトに関連する前記セカンダリサイトに開始するかもしくは電力を増やすように命令し、ならびに/または事前に設定された電力の削減の時間に従って、前記プライマリサイトおよび前記プライマリサイトに関連する前記セカンダリサイトに電力を削減するように命令するようにさらに構成されている
請求項18に記載のネットワークデバイス。
【請求項２０】
運用保守デバイスまたは基地局である
請求項12から19のいずれか一項に記載のネットワークデバイス。
【請求項２１】
基地局であって、
OMまたは別の基地局によって送信された命令を受信するように構成された受信ユニットであって、前記別の基地局は、ローカルサイトに関連するプライマリサイト、または前記ローカルサイトに関連する前記プライマリサイトに関連する別のセカンダリサイトである、受信ユニットと、
前記受信ユニットによって受信された前記命令の指示に従って、前記ローカルサイトの電力および/または前記ローカルサイトに関連する前記セカンダリサイトの電力を制御するように構成された処理ユニットであって、前記命令の前記指示は、前記プライマリサイトおよび前記プライマリサイトに関連する前記セカンダリサイトのトラフィック量に応じて決定される、処理ユニットと
を備える基地局。
【発明の詳細な説明】
【技術分野】
【０００１】
本出願は、2010年12月17日に中国専利局に出願され、「METHOD AND DEVICE FOR CONTROLLING BASE STATION POWER」と題された中国特許出願第201010594435.5号の優先権を主張するものであり、この中国特許出願は、参照によりその全体が本明細書に組み込まれる。
【０００２】
本発明は、無線通信技術の分野に関し、より詳細には、基地局の電力を制御するための方法およびデバイスに関する。
【背景技術】
【０００３】
高速鉄道の場合の通信を解決するために、基地局が、線路に沿って設置される必要がある。図1aに示されるように、線路に沿って設置される基地局は、通常、チェーントポロジー(chain topology)で構築される。図1aにおいて、C1は、基地局1によってカバーされるセル(cell)を表し、C2は、基地局2によってカバーされるセルを表し、C3は、基地局3によってカバーされるセルを表し、以下同様である。
【０００４】
チェーントポロジーで基地局を設置することは、高速道路などのその他の場合にも適用可能である。通常、基地局は、開始された状態に留まる。
【０００５】
従来技術の研究および実施中に、本発明の発明者は、特定の場合、例えば、高速列車の運用および保守または夜間運行中に基地局にいかなるサービスもアクセスしないとき、結果として、その期間中、電力リソースが浪費されることを発見している。
【発明の概要】
【発明が解決しようとする課題】
【０００６】
本発明の実施形態は、基地局の電力を制御し、それによって、リソースの合理的な利用を実施することができる、基地局の電力を制御するための方法およびデバイスを提供する。
【課題を解決するための手段】
【０００７】
本発明の実施形態は、以下の技術的な解決策を通じて実施され得る。
【０００８】
基地局の電力を制御するための方法が提供され、この方法は、
プライマリサイトおよびプライマリサイトに関連するセカンダリサイトのトラフィック量を取得するステップであって、プライマリサイトおよびセカンダリサイトは、事前に設定されたポリシーに従って基地局をカテゴリー分けすることによって得られる、ステップと、
プライマリサイトおよびプライマリサイトに関連するセカンダリサイトのトラフィック量に応じて、プライマリサイトに関連するセカンダリサイトの電力を制御するステップと
を含む。
【０００９】
基地局の電力を制御するための別の方法が提供され、この方法は、
運用保守デバイス(operation and maintenance device)または別の基地局によって送信された命令を受信するステップであって、別の基地局は、ローカルサイトに関連するプライマリサイト、またはローカルサイトに関連するプライマリサイトに関連する別のセカンダリサイトである、ステップと、
命令の指示に従って、ローカルサイトの電力および/またはローカルサイトに関連するセカンダリサイトの電力を制御するステップであって、命令の指示は、プライマリサイトおよびプライマリサイトに関連するセカンダリサイトのトラフィック量に応じて決定される、ステップと
を含む。
【００１０】
ネットワークデバイスがさらに提供され、このネットワークデバイスは、
プライマリサイトおよびプライマリサイトに関連するセカンダリサイトのトラフィック量を取得するように構成された取得ユニットであって、プライマリサイトおよびセカンダリサイトは、事前に設定されたポリシーに従って基地局をカテゴリー分けすることによって得られる、取得ユニットと、
取得ユニットによって取得されるプライマリサイトおよびプライマリサイトに関連するセカンダリサイトのトラフィック量に応じて、プライマリサイトに関連するセカンダリサイトの電力を制御するように構成された制御ユニットと
を含む。
【００１１】
基地局が提供され、この基地局は、
OMまたは別の基地局によって送信された命令を受信するように構成された受信ユニットであって、別の基地局は、ローカルサイトに関連するプライマリサイト、またはローカルサイトに関連するプライマリサイトに関連する別のセカンダリサイトである、受信ユニットと、
受信ユニットによって受信された命令の指示に従って、ローカルサイトの電力および/またはローカルサイトに関連するセカンダリサイトの電力を制御するように構成された処理ユニットであって、命令の指示は、プライマリサイトおよびプライマリサイトに関連するセカンダリサイトのトラフィック量に応じて決定される、処理ユニットと
を含む。
【００１２】
本発明の実施形態においては、プライマリサイトおよびプライマリサイトに関連するセカンダリサイトのトラフィック量が取得され、プライマリサイトに関連するセカンダリサイトの電力がトラフィック量に応じて制御され、その結果、基地局の電力が柔軟に制御され、リソースが合理的に利用される。
【図面の簡単な説明】
【００１３】
【図１ａ】高速鉄道の場合の基地局の概略図である。
【図１ｂ】本発明の一実施形態による基地局の電力を制御するための方法の流れ図である。
【図２】本発明の一実施形態による基地局の電力を制御するための方法の別の流れ図である。
【図３】本発明の一実施形態による基地局の電力を制御するための方法のさらに別の流れ図である。
【図４ａ】高速鉄道の場合の基地局の概略図である。
【図４ｂ】本発明の一実施形態による基地局の電力を制御するための方法のさらに別の流れ図である。
【図５】本発明の一実施形態による基地局の電力を制御するための方法のさらに別の流れ図である。
【図６ａ】本発明の一実施形態による運用保守デバイスの概略的な構造図である。
【図６ｂ】本発明の一実施形態による運用保守デバイスの別の概略的な構造図である。
【図７】本発明の一実施形態による基地局の概略的な構造図である。
【発明を実施するための形態】
【００１４】
本発明の目的、技術的な解決策、および利点をより明瞭にするために、以下で本発明の技術的な解決策を添付の図面および特定の実施形態を参照して詳細に説明する。
【００１５】
本発明の実施形態は、以降でそれぞれが詳細に説明される基地局の電力を制御するための方法およびデバイスを提供する。
【００１６】
以下の実施形態は、本発明の方法の実施形態である。実施形態は、特に運用保守デバイス(OM、Operating & Maintaining)または基地局とすることができるネットワークデバイスの観点で説明される。基地局は、事前に設定されたポリシーによってプライマリサイトおよびセカンダリサイトにカテゴリー分けすることができ、プライマリサイトとセカンダリサイトとの間の関連付けが、OMおよび/またはプライマリサイトおよび/またはセカンダリサイトに記憶され得る。例えば、OMが、1つまたは複数のセカンダリサイトがどのプライマリサイトに関連付けられているかを記憶する。関連付けとは、プライマリサイトとセカンダリサイトの間のマッピングを指すことができる。1つのプライマリサイトは、少なくとも1つのセカンダリサイトにマッピングされ得る。プライマリサイトは、そのプライマリサイトに関連するセカンダリサイトの起動またはシャットダウンを直接的または間接的に制御することができ(例えば、プライマリサイトは、そのプライマリサイトに関連するセカンダリサイトAのみに起動またはシャットダウンするように命令し、命令を受信すると、セカンダリサイトAは、その命令を次のセカンダリサイトBに転送し、以下同様であり、これは、プライマリサイトがセカンダリサイトに直接命令しないが、その他のデバイスを通じて命令を届ける間接的な方法である)、セカンダリサイトは、そのセカンダリサイトに関連するプライマリサイトの直接的および間接的制御を受ける。具体的実践において、プライマリサイトとセカンダリサイトとの間の関連付けは、マッピングテーブルに記録され、管理の容易さのためにOMに記憶され得る。もちろん、電力制御がプライマリサイトによって実行される場合は、関連付けは、プライマリサイトにやはり記憶される必要がある。加えて、関連付けは、セカンダリサイトに記憶されてもよい。例えば、詳細に関して、Table 1(表1)を参照することができる。
【００１７】
事前に設定されたポリシーは、実際の適用例の要件に応じて設定され得る。例えば、高速鉄道の適用例の場合、出発駅または線路沿いの決まったいくつかの駅の基地局がプライマリサイトとして設定され得、基地局の残りはセカンダリサイトとして設定される。プライマリサイトは、通常、開始された状態に留まり、セカンダリサイトは、シャットダウン状態に留まる。
【００１８】
基地局の電力を制御するための方法は、プライマリサイトおよびプライマリサイトに関連するセカンダリサイトのトラフィック量を取得するステップと、プライマリサイトおよびプライマリサイトに関連するセカンダリサイトのトラフィック量に応じて、プライマリサイトに関連するセカンダリサイトの電力を制御するステップとを含む。
【００１９】
図1bを参照すると、具体的なプロセスは、以下の通りとすることができる。
【００２０】
101.  プライマリサイトおよびプライマリサイトに関連するセカンダリサイトのトラフィック量を取得する。
【００２１】
具体的実践において、プライマリサイトおよびセカンダリサイトのトラフィック量は、プライマリサイトおよびセカンダリサイトのユーザ数または無線ベアラ(RB、Radio bearer)の利用率を監視することによって判定され得る。本明細書において、トラフィック量とは、サービスのアクセスの状態を指す。
【００２２】
例えば、サービスのアクセスが存在するかどうか(すなわち、トラフィック量が0であるかどうか)を判定する場合、プライマリサイトのユーザ数またはRBの利用率が0である場合、いかなるサービスもプライマリサイトにアクセスしないと判定され、同様に、セカンダリサイトのユーザ数またはRBの利用率が0である場合、いかなるサービスもセカンダリサイトにアクセスしないと判定され、そうではなく、プライマリサイトのユーザ数またはRBの利用率が0でない場合、サービスがプライマリサイトにアクセスすると判定され、セカンダリサイトのユーザ数またはRBの利用率が0でない場合、サービスがセカンダリサイトにアクセスすると判定され、ステップ102において詳細に説明されるように、サービスがプライマリサイトにもセカンダリサイトにもアクセスしない場合、プライマリサイトに関連するセカンダリサイトは電力を減らすように命令され、サービスがプライマリサイトにアクセスする場合、プライマリサイトに関連するセカンダリサイトは、開始するかまたは電力を減らすように命令される。
【００２３】
102.  プライマリサイトおよびプライマリサイトに関連するセカンダリサイトのトラフィック量に応じて、プライマリサイトに関連するセカンダリサイトの電力を制御する。例えば、これは、具体的には、以下の通りとすることができる。
【００２４】
プライマリサイトおよびプライマリサイトに関連するセカンダリサイトのトラフィック量が第1の事前に設定された閾値以下であると判定されるとき、プライマリサイトに関連するセカンダリサイトは、電力を減らすように命令される。例えば、トラフィック量が、いかなるサービスもアクセスしないことを意味する0であると判定される場合、電力は、基地局をシャットダウンすることを意味する0まで削減されることも、または、元の電力の半分まで削減されることもある。
【００２５】
任意で、方法は、プライマリサイトのトラフィック量が第2の事前に設定された閾値を超えると判定されるときに、プライマリサイトに関連するセカンダリサイトに開始するかまたは電力を増やすように命令するステップをさらに含み得る。第1の事前に設定された閾値は、第2の事前に設定された閾値以下である。
【００２６】
プライマリサイトおよびプライマリサイトに関連するセカンダリサイトのトラフィック量が第1の事前に設定された閾値と第2の事前に設定された閾値との間であると判定される場合、何もしないか、またはプライマリサイトおよびセカンダリサイトが、現在の状態に留まるように命令される。
【００２７】
第1の事前に設定された閾値および第2の事前に設定された閾値は、事前に設定されたポリシーに従って設定され得る。例えば、第1の事前に設定された閾値は、第2の事前に設定された閾値に等しいように設定されてもよく、0に等しいように設定されてもよい。この場合、サービスがプライマリサイトおよびプライマリサイトに関連するセカンダリサイトにアクセスするかどうかが判定され、いかなるサービスもアクセスしない場合、プライマリサイトに関連するセカンダリサイトが、電力を削減するように命令され、またはサービスがアクセスする場合、何もしないか、もしくはプライマリサイトおよびセカンダリサイトが、現在の状態に留まるように命令されるか、もしくはプライマリサイトに関連するセカンダリサイトが、開始するかもしくは電力を増やすように命令される。
【００２８】
任意で、期間も事前に設定することができる。プライマリサイトに関連するセカンダリサイトは、事前に設定された期間内のプライマリサイトおよびプライマリサイトに関連するセカンダリサイトのトラフィック量が第1の事前に設定された閾値以下であると判定されるときにのみ、電力を削減するように命令される。
【００２９】
事前に設定された期間内にいかなるサービスもアクセスしないとき、プライマリサイトに関連するセカンダリサイトは、電力を削減するように命令される。例えば、電力は、基地局をシャットダウンすることを意味する0まで削減されることも、または、元の電力の半分まで削減されることもある。
【００３０】
例えば、プライマリサイトおよびプライマリサイトに関連するセカンダリサイトのユーザ数またはRBの利用率が0であることが検出されるとき、セカンダリサイトは、電力を削減するように命令される。電力は、具体的には、無線リモートユニット(RRU、Radio Remote Unit)の電力、または無線周波数ユニット(radio frequency unit)の電力とすることができる。
【００３１】
事前に設定された期間は、実際の適用例の要件に応じて、例えば、1時間に設定されてもよい。
【００３２】
任意で、方法は、プライマリサイトおよびプライマリサイトに関連するセカンダリサイトのトラフィック量に応じて、プライマリサイトの電力を制御するステップをさらに含み得る。
【００３３】
ネットワークデバイスは、具体的には、OMまたは基地局とすることができることに留意されたい。基地局の電力がOMによって制御される場合、ステップ101において、OMは、プライマリサイトおよびプライマリサイトに関連するセカンダリサイトのトラフィック量を取得する。基地局の電力がプライマリサイトによって制御される場合、ステップ101において、プライマリサイトは、プライマリサイトおよびプライマリサイトに関連するセカンダリサイトのトラフィック量を取得する。ネットワークデバイスがOMであるとき、OMは、システム内のすべてのプライマリサイトおよびセカンダリサイトを制御することができる。例えば、OMは、プライマリサイトおよびプライマリサイトに関連するセカンダリサイトのトラフィック量に応じて、プライマリサイトに関連するセカンダリサイトの電力を制御することができるが、さらに、プライマリサイトおよびプライマリサイトに関連するセカンダリサイトのトラフィック量に応じてプライマリサイトを制御することができ、例えば、いかなるサービスもアクセスしないときに、電力を削減するようにプライマリサイトに命令することができる。OMは、それ自体(そのOM)によって記憶された「プライマリサイトとセカンダリサイトとの間の関連付け」を問い合わせることによってプライマリサイトに関連するセカンダリサイトを判定することができる。ネットワークデバイスが基地局であり、基地局がプライマリサイトであるとき、プライマリサイトは、それ自体およびそれ(そのプライマリサイト)に関連するセカンダリサイトの電力を制御することができる。例えば、プライマリサイトおよびプライマリサイトに関連するセカンダリサイトは、それらのユーザ数またはRBの利用率をそれぞれ調べて、それらのトラフィック量を取得することができ、そのとき、プライマリサイトは、それ自体およびプライマリサイトに関連するセカンダリサイトのトラフィック量を取得する。例えば、プライマリサイトに関連するセカンダリサイトが、トラフィック量をプライマリサイトに知らせることが可能であり、またはプライマリサイトが、トラフィック量を取得するために、プライマリサイトに関連するセカンダリサイトに要求を送信し、最後に、プライマリサイトが、受信したトラフィック量に応じて、プライマリサイトに関連するセカンダリサイトの電力を制御する。
【００３４】
加えて、本発明の実施形態で言及される「開始する」および「シャットダウンする」は相対的であり、「電力を増やす」および「電力を削減する」は相対的であることに留意されたい。すなわち、セカンダリサイトの状態が現在「シャットダウンされている」である場合、セカンダリサイトは開始するように命令され、セカンダリサイトの状態が現在「開始されている」であるが、電力が通常の動作電力未満である(例えば、通常の動作電力の50%に過ぎない)場合、セカンダリサイトは、例えば、通常の動作電力まで電力を増やすように命令される。さらに、基地局の起動後に必要とされる電力は、実際の適用例の要件に応じて設定され得ることに留意されたい。
【００３５】
上記のように、この実施形態においては、プライマリサイトおよびプライマリサイトに関連するセカンダリサイトのトラフィック量が取得され、プライマリサイトに関連するセカンダリサイトの電力がトラフィック量に応じて制御され、例えば、基地局のトラフィック量が第1の事前に設定された閾値以下であるとき、基地局の電力が削減され、基地局のトラフィック量が第2の事前に設定された閾値を超えるとき、基地局が開始されるか、または基地局の電力が増やされ、それによって、基地局の電力の柔軟な全体的制御およびリソースの合理的な利用を実施する。
【００３６】
上述の方法の実施形態に基づいて、さらに、開始または電力の増加および電力の削減の決まった時間が設定され得、そのとき、その他の期間中は、セカンダリサイトの開始または電力の増加および電力の削減は、上述の実施形態で提供された方法を使用することによって制御される。すなわち、ステップ101においてプライマリサイトおよびプライマリサイトに関連するセカンダリサイトのトラフィック量を取得するステップの前に、方法は、ステップ100で詳細に説明されるように、「現在の時間が事前に設定された管理時間の期間内であると判定する」ステップをさらに含み得る。
【００３７】
図2を参照すると、具体的なプロセスは、以下の通りとすることができる。
【００３８】
100.  現在の時間が事前に設定された管理時間内であるかどうかを判定し、現在の時間が事前に設定された管理時間内である場合、プライマリサイトおよびセカンダリサイトのトラフィック量を監視するステップ101を実行し、現在の時間が事前に設定された管理時間内でない場合、ステップ103を実行する。
【００３９】
事前に設定された管理時間は、実際の適用例の要件に応じて設定され得る。例えば、事前に設定された管理時間は、高速列車の運行時間内に設定される。
【００４０】
ステップ101および102は、本明細書において繰り返されない。詳細に関しては、上述の方法の実施形態が参照可能である。
【００４１】
103.  事前に設定された開始もしくは電力の増加の時間に従って、プライマリサイトおよびセカンダリサイトに開始するかもしくは電力を増やすように命令し、ならびに/または事前に設定された電力の削減の時間に従って、プライマリサイトおよびセカンダリサイトに電力を削減するように命令し、例えば、電力は、基地局をシャットダウンすることを意味する0まで削減されることも、または、元の電力の半分まで削減されることもある。
【００４２】
事前に設定された開始または電力の増加および電力の削減の時間は、実際の適用例の要件に応じて設定され得る。例えば、高速列車の運行時間が6:00a.m.から夜中の00:00までであり、事前に設定された時間が、6:00a.m.にプライマリサイトおよびセカンダリサイトを開始するかまたはプライマリサイトおよびセカンダリの電力を増やし、夜中の00:00にプライマリサイトおよびセカンダリサイトの電力を削減する(例えば、プライマリサイトおよびセカンダリサイトをシャットダウンする)ように設定され得、その他の期間中、すなわち、6:00a.m.から夜中の00:00までは、セカンダリサイトの開始または電力の増加および電力の削減は、上述の実施形態の方法を使用することによって制御される。
【００４３】
上記のように、上述の実施形態の有利な効果を実現することに加えて、この実施形態においては、プライマリサイトおよびセカンダリサイトの開始または電力の増加および電力の削減の時間が実際の適用例の要件に応じて設定され得るので、例えば、線路に沿った基地局が、高速列車が走っていないときはシャットダウンされ、リソースがより合理的に利用される可能性があり、電力リソースが節約される。
【００４４】
以下の実施形態は、本発明の別の方法の実施形態である。この実施形態は、プライマリサイトおよびセカンダリサイトの観点から説明される。まず、基地局が、事前に設定されたポリシーに従ってプライマリサイトおよびセカンダリサイトにカテゴリー分けされ、プライマリサイトとセカンダリサイトとの間の関連付けがOMに記憶される。
【００４５】
基地局の電力を制御するための方法は、OMまたは別の基地局によって送信された命令を受信するステップと、命令の指示に従って基地局の電力を制御するステップとを含む。
【００４６】
図3を参照すると、具体的なプロセスは、以下の通りとすることできる。
【００４７】
301.  OMまたは別の基地局によって送信された命令を受信し、別の基地局は、それ(すなわち、ローカルサイト)に関連するプライマリサイト、またはローカルサイトに関連するプライマリサイトに関連する別のセカンダリサイトである。これは、ステップ301の実行者がセカンダリサイトである場合、セカンダリサイトが、プライマリサイトもしくはOMによって送信された命令を直接受信するか、またはプライマリサイトもしくはOMによって送信され、別のセカンダリサイトによって転送された命令を受信する可能性があり、ステップ301の実行者がプライマリサイトである場合、プライマリサイトが、OMによって送信された命令を受信する可能性があることを意味する。命令の特定のフォーマットは以下の通りである。
{
Double RRUPowerRatio;/*RRU電力削減値、ただし、Ratioは、具体的には、RRUの電力と最大電力の間の差の最大電力に対する比であり、0から100%までの範囲であり、0は、RRUの電力が変わらないことを意味し、100%は、RRUの電力が0まで削減されるか、またはRRUの電力が最大電力値まで増やされることを意味する*/
Enumerate ReduceOrAddIndx; /*電力を削減するかまたは増やす指示、ただし、0は電力を削減することを意味し、1は電力を増やすことを意味し、Enumerateは列挙を意味する*/
}
【００４８】
Doubleはデータ型であり、倍精度浮動小数点フォーマットを示し、Double以外のデータ型も、実際の適用例の要件に応じて採用されてもよく、これについては、本明細書において繰り返されない。
【００４９】
命令の指示は、プライマリサイトおよびセカンダリサイトのトラフィック量に依存し、具体的な例は以下の通りである。
【００５０】
プライマリサイトおよびプライマリサイトに関連するセカンダリサイトのトラフィック量が、取得される。トラフィック量が第2の事前に設定された閾値を超える場合、プライマリサイトに関連するセカンダリサイトは、開始するかまたは電力を増やすように命令される。トラフィック量が、事前に設定された時間中、第1の事前に設定された閾値以下である場合、プライマリサイトに関連するセカンダリサイトは、電力を削減するように命令される。
【００５１】
302.  命令の指示に従って、それ自体(すなわち、ローカルサイト)の電力および/またはローカルサイトに関連するセカンダリサイトの電力を制御する。
【００５２】
例えば、以下の通りである。
【００５３】
ステップ301の実行者がセカンダリサイトである場合、およびセカンダリサイトによって受信された命令が、基地局の起動または基地局の電力の増加を指示する場合、セカンダリサイトが開始されるか、または電力を増やし、セカンダリサイトによって受信された命令が、基地局のシャットダウンまたは基地局の電力の削減を指示する場合、セカンダリサイトが電力(そのセカンダリサイト自体の電力)を削減し、例えば、電力は、基地局をシャットダウンすることを意味する0まで削減される。
【００５４】
ステップ301の実行者がプライマリサイトである場合、およびプライマリサイトによって受信された命令が、基地局の開始または基地局の電力の増加を指示する場合、プライマリサイトがそれ自体(そのプライマリサイト)およびプライマリサイトに関連するセカンダリサイトを開始するか、またはそれ自体(そのプライマリサイト)およびプライマリサイトに関連するセカンダリサイトの電力を増やし、プライマリサイトによって受信された命令が、基地局のシャットダウンまたは基地局の電力の削減を指示する場合、プライマリサイトは、それ自体(そのプライマリサイト)およびプライマリサイトに関連するセカンダリサイトの電力を削減する。
【００５５】
本明細書における電力は、具体的には、RRUまたは無線周波数ユニットの電力である。
【００５６】
本明細書において言及される「開始する」および「シャットダウンする」は相対的であり、「電力を増やす」および「電力を削減する」は相対的であることに留意されたい。すなわち、セカンダリサイトの状態が現在「シャットダウンされている」である場合、セカンダリサイトは開始するように命令され、セカンダリサイトの状態が現在「開始されている」であるが、電力が通常の動作電力未満である(例えば、通常の動作電力の50%に過ぎない)場合、セカンダリサイトは、例えば、通常の動作電力まで電力を増やすように命令される。
【００５７】
上記のように、この実施形態においては、基地局は、それらの基地局のトラフィック量に応じて柔軟に制御され得る。例えば、基地局のトラフィック量が第2の事前に設定された閾値を超えるとき、基地局が開始されるか、または基地局の電力が増やされ、基地局のトラフィック量が第1の事前に設定された閾値以下であるとき、基地局の電力が削減され、それによって、基地局の電力の柔軟な制御およびリソースの合理的な利用を実施する。
【００５８】
以下の実施形態は、本発明の別の方法の実施形態である。この実施形態が、特定の例、および上述の方法の実施形態で説明された方法を参照して詳細に説明される。
【００５９】
まず、すべての基地局が、事前に設定されたポリシーに従っていくつかのプライマリサイトおよびいくつかのセカンダリサイトにカテゴリー分けされ、1つのプライマリサイトが、少なくとも1つのセカンダリサイトに関連付けることができ、プライマリサイトとセカンダリサイトとの間の関連付けが、管理の容易さのためにOMに記憶される。プライマリサイトは、通常、開始された状態に留まり、セカンダリサイトは、シャットダウン状態に留まる。
【００６０】
例えば、高速鉄道の適用例の場合、出発駅または線路沿いの決まったいくつかの駅の基地局が、図4aのC1、C5、およびC8(図中の実線)などのプライマリサイトとして設定され得、残りは、図4aのC2、C3、C4、C6、C7、およびC8(図中の破線)などのセカンダリサイトである。サービスの正常なアクセスを保証するために、プライマリサイトは、シャットダウンしないか、またはほんのわずかな時間しかシャットダウンしないように設定され得、セカンダリサイトは、プライマリサイトによって提供されるトラフィック量に応じてOMによって開始され得、(プライマリサイトおよびセカンダリサイトを含む)基地局によって提供されるトラフィック量に応じてシャットダウンされ得る。
【００６１】
プライマリサイトとセカンダリサイトとの間の関連付けが、やはり記憶される必要がある。例えば、Table 1(表1)に示されるようなプライマリサイトとセカンダリサイトとの間の関連付けテーブルが、OMに記憶され得る。
【００６２】
【表１】
2014504092.tif 000003
【００６３】
Table 1(表1)から分かるように、プライマリサイトC1に関連するセカンダリサイトは、C2、C3、およびC4を含む。
【００６４】
プライマリサイトC5に関連するセカンダリサイトは、C2、C3、C4、C6、およびC7を含む。
【００６５】
プライマリサイトC8に関連するセカンダリサイトは、C6およびC7を含む。
【００６６】
したがって、OMは、線路沿いのすべての基地局を制御することができる。例えば、図4bに示されるように第1の事前に設定された閾値および第2の閾値が両方とも0である(いかなるサービスもアクセスしない)とき、具体的なプロセスは以下の通りとすることができる。
【００６７】
401.  列車がプライマリサイトC1から出発するとき、OMは、線路沿いの各基地局のトラフィック量が0であるかどうか、すなわち、サービスがアクセスするかどうかを監視し、OMが、サービスがプライマリサイトC1にアクセスすることを検出する場合、ステップ402が実行され、またはそうではなく、OMが、いかなるサービスも事前に設定された時間内にプライマリサイトC1およびC5またはセカンダリサイトC2、C3、およびC4にアクセスしないことを検出する場合、ステップ403が実行される。
【００６８】
例えば、OMは、プライマリサイトC1のユーザ数またはRBの利用率を監視することができ、ユーザ数またはRBの利用率が0である場合、OMは、いかなるサービスもアクセスしないと判定し、ユーザ数またはRBの利用率が0でない場合、OMは、サービスがアクセスすると判定する。
【００６９】
事前に設定された時間は、実際の適用例の要件に応じて、例えば、1時間などに設定されてもよい。これは、具体的には、タイマーを設定することによって実施され得る。例えば、OMが、いかなるサービスもプライマリサイトC1またはセカンダリサイトC2、C3、およびC4にアクセスしないことを検出するとき、タイマーが開始され、タイマーが切れる前にいかなるサービスもプライマリサイトC1またはセカンダリサイトC2、C3、およびC4にアクセスしない場合、ステップ403が実行され、サービスがプライマリサイトC1ならびセカンダリサイトC2、C3、およびC4のうちの少なくとも1つのセルにアクセスする場合、タイマーがリセットされ、シャットダウンされる。
【００７０】
線路沿いのバックホールネットワークは、広帯域符号分割多元接続(WCDMA、Wideband Code Division Multiple Access)（登録商標）またはロングタームエボリューション(LTE、Long Term Evolution)ネットワークなどの非GSM（登録商標）ネットワークであることに留意されたい。列車が始動されるときは、ユーザ端末がアクセスする(例えば、ユーザ端末が呼を開始する)かどうかにかかわらず、バックホールネットワークがコアネットワークに直接アクセスし、したがって、OMが、サービスが基地局にアクセスすることを検出する。これは、列車が初めにプライマリサイトC1を出発するときに、通常、サービスのアクセスが検出されることを意味する。線路沿いのいかなるバックホールネットワークも利用可能でない場合、列車が始動されるときにOMがサービスのアクセスを検出し、関連するセカンダリサイトを開始することができることを保証するために、端末が基地局に直接アクセスし、この場合、テスト端末と同様のデバイスが列車が始動されるときに基地局にアクセスする可能性があり、したがって、列車がこれらのセカンダリサイトに向かって走るときに通常の通信が保証される。
【００７１】
402.  OMが、プライマリサイトC1のトラフィック量が0より大きい、つまり、サービスがアクセスすると判定するとき、OMは、プライマリサイトC1に関連するセカンダリサイトC2、C3、およびC4に開始するように命令し、それから、ステップ404が実行され得る。
【００７２】
OMは、それ自体(そのOM)によって記憶された「プライマリサイトとセカンダリサイトとの間の関連付けテーブル」に従ってプライマリサイトに関連するセカンダリサイトを判定することができる。
【００７３】
セカンダリサイトC2、C3、およびC4が既に開始されており、現在、通常の動作状態にある場合、C2、C3、およびC4は、単に現在の状態に留まっていることができる。
【００７４】
403.  プライマリサイトC1およびC5ならびにセカンダリサイトC2、C3、およびC4のトラフィック量が事前に設定された時間にすべて0である、つまり、いかなるサービスもアクセスしないと判定されるとき、セカンダリサイトC2、C3、およびC4にシャットダウンするように命令し、それから、ステップ404が実行され得る。
【００７５】
セカンダリサイトC2、C3、およびC4がそのとき既にシャットダウンされた状態にある場合、C2、C3、およびC4は、単に現在の状態に留まっていることができることに留意されたい。
【００７６】
404.  列車がC5に到着するとき、OMは、線路沿いのすべての基地局をやはり監視し、OMが、プライマリサイトC5のトラフィック量が0より大きい、つまり、サービスがアクセスすることを検出する場合、ステップ405が実行され、またはそうではなく、OMが、プライマリサイトC1、C5、およびC8ならびにセカンダリサイトC2、C3、C4、C6、およびC7のトラフィック量がすべて0である、つまり、いかなるサービスもアクセスしないことを検出する場合、ステップ405が実行される。
【００７７】
405.  OMが、プライマリサイトC5のトラフィック量が0より大きい、つまり、サービスがアクセスされると判定するとき、OMは、プライマリサイトC5に関連するセカンダリサイトC2、C3、C4、C6、およびC7に開始するように命令し、それから、ステップ407が実行される。
【００７８】
セカンダリサイトC2、C3、C4、C6、およびC7が既に開始されており、現在、通常の動作状態にある場合、C2、C3、C4、C6、およびC7は、単に現在の状態に留まっていることができる。例えば、セカンダリサイトC2、C3、およびC4がステップ402において開始される場合、C6およびC7のみがこのとき命令される必要がある。
【００７９】
406.  プライマリサイトC5、C1、およびC8ならびにセカンダリサイトC2、C3、C4、C6、およびC7のトラフィック量が事前に設定された時間にすべて0である、つまり、いかなるサービスもアクセスしないと判定されるとき、セカンダリサイトC2、C3、C4、C6、およびC7にシャットダウンするように命令し、それから、ステップ407が実行される。
【００８０】
セカンダリサイトC2、C3、C4、C6、およびC7がそのとき既にシャットダウンされた状態にある場合、C2、C3、C4、C6、およびC7は、単に現在の状態に留まっていることができることに留意されたい。
【００８１】
列車がC8に到着するとき、OMは、ステップ404と同様のステップを実行し、このステップについては本明細書において繰り返されない。
【００８２】
上の説明においては、基地局の起動およびシャットダウンが例として使用されていることに留意されたい。基地局は開始またはシャットダウンされなくてもよいが、それらの基地局の電力が調整されることを理解されたい。例えば、いかなるサービスもアクセスしないとき、基地局のRRUの電力が、例えば、最大のRRUの電力の50%などの割合まで削減され、サービスがアクセスするとき、通常の電力の状態が、例えば、最大のRRUの電力まで戻される。
【００８３】
上記のように、この実施形態においては、基地局は、それらの基地局のトラフィック量に応じて柔軟に制御される。したがって、プライマリサイトのトラフィック量が0より大きい、つまり、サービスがアクセスするとき、プライマリサイトに関連するセカンダリサイトが開始されるか、またはプライマリサイトに関連するセカンダリサイトの電力が増やされ、プライマリサイトおよびプライマリサイトに関連するセカンダリサイトのトラフィック量が0である、つまり、いかなるサービスもアクセスしないとき、プライマリサイトに関連するセカンダリサイトの電力が止められ、それによって、サイトの柔軟な制御およびリソースの合理的な利用を実施する。例えば、この解決策は、特に、高速鉄道の適用例の場合に適用され得る。誰もが知っているように、高速列車の高速な特徴のために、高速列車の運用および保守は頻繁に必要とされる。運用および保守期間中は、いかなるサービスも、線路沿いの基地局にアクセスしない。したがって、この解決策が採用される場合、線路沿いの基地局は、いかなるサービスもアクセスしないときはシャットダウンされ、したがって、多くの電力リソースが節約され得るように柔軟に制御可能である。
【００８４】
さらに、決まった開始時間およびシャットダウン時間が各基地局に対して設定可能であり、その他の期間中は、セカンダリサイトの開始およびシャットダウンは、上述の方法の実施形態で提供された方法を使用することによって制御される。
【００８５】
図5に示されるように、具体的なプロセスは、以下の通りとすることができる。
【００８６】
501.  OMは、現在の時間が事前に設定された管理時間内であるかどうかを判定し、そうでない場合はステップ502が実行され、またはそうである場合はステップ503が実行される。
【００８７】
例えば、管理時間は、高速列車の運行時間、例えば、6:00a.m.から夜中の00:00までに設定され得る。そのとき、現在の時間が7:00である場合、ステップ503が実行され、または現在の時間が4:00である場合、ステップ502が実行される。
【００８８】
502.  事前に設定された開始またはシャットダウン時間に従って、プライマリサイトおよびセカンダリサイトに開始するかまたはシャットダウンするように命令する。
【００８９】
事前に設定された開始またはシャットダウンの時間は、実際の適用例の要件に応じて設定され得る。例えば、高速列車の運行時間が6:00a.m.から真夜中の00:00までである場合、事前に設定された開始またはシャットダウンの時間は、6:00a.m.にプライマリサイトおよびセカンダリサイトを開始し、夜中の00:00にプライマリサイトおよびセカンダリサイトをシャットダウンするように設定され得る。その他の期間中、すなわち、6:00a.m.から夜中の00:00までは、セカンダリサイトの開始およびシャットダウンは、上述の実施形態の方法を使用することによって制御される。
【００９０】
503.  本明細書において繰り返されない上述の実施形態の方法、具体的には、上述の実施形態のステップ401から406までを使用して、プライマリサイトおよびセカンダリサイトに開始するかまたはシャットダウンするように命令する。
【００９１】
上記のように、この実施形態は、プライマリサイトおよびセカンダリサイトの開始およびシャットダウンが実際の適用例の要件に応じて設定可能であり、例えば、線路沿いの基地局が高速列車の運行時間外はシャットダウンされるので、上述の方法の実施形態の有利な利点を実現するだけでなく、さらに電力リソースを節約することができる。
【００９２】
本発明の実施形態は、さらに、ネットワークデバイスを提供し、ネットワークデバイスは、具体的には、運用保守デバイス(OM)または基地局とすることができる。図6aに示されるように、ネットワークデバイスは、取得ユニット601および制御ユニット602を含む。
【００９３】
取得ユニット601は、プライマリサイトおよびプライマリサイトに関連するセカンダリサイトのトラフィック量を取得するように構成され、プライマリサイトおよびセカンダリサイトは、事前に設定されたポリシーに従って基地局をカテゴリー分けすることによって得られる。詳細は、本明細書において繰り返されない。詳細に関しては、上述の方法の実施形態が参照可能である。
【００９４】
制御ユニット602は、取得ユニット601によって取得されるプライマリサイトおよびプライマリサイトに関連するセカンダリサイトのトラフィック量に応じて、プライマリサイトに関連するセカンダリサイトの電力を制御するように構成されている。
【００９５】
図6bに示されるように、制御ユニット602は、判定サブユニット6021および第1の命令サブユニット6022を含み得る。
【００９６】
判定サブユニット6021は、プライマリサイトおよびプライマリサイトに関連するセカンダリサイトのトラフィック量が第1の事前に設定された閾値以下であるかどうかを判定するように構成されている。
【００９７】
第1の命令サブユニット6022は、判定サブユニット6021がプライマリサイトおよびプライマリサイトに関連するセカンダリサイトのトラフィック量が第1の事前に設定された閾値以下であると判定するとき、プライマリサイトに関連するセカンダリサイトに電力を削減するように命令するように構成されている。例えば、電力は、基地局をシャットダウンすることを意味する0まで削減されることも、または、元の電力の半分まで削減されることもある。
【００９８】
任意で、ネットワークデバイスは、第2の命令サブユニット6023をさらに含み得る。
【００９９】
判定サブユニット6021は、プライマリサイトのトラフィック量が第2の事前に設定された閾値を超えるかどうかを判定するようにさらに構成されている。
【０１００】
第2の命令サブユニット6023は、判定サブユニット6021がプライマリサイトのトラフィック量が第2の事前に設定された閾値を超えると判定するとき、プライマリサイトに関連するセカンダリサイトに開始するかまたは電力を増やすように命令するように構成されている。
【０１０１】
第1の事前に設定された閾値は、第2の事前に設定された閾値以下である。第1の事前に設定された閾値および第2の事前に設定された閾値は、事前に設定されたポリシーに従って設定され得る。例えば、概して、2つの閾値は、0に設定され得る。具体的に言えば、プライマリサイトおよびプライマリサイトに関連するセカンダリサイトへのサービスのアクセスがあるかどうかが判定され、トラフィック量が0よりも大きい場合、サービスがアクセスし、またはトラフィック量が0以下である場合、いかなるサービスもアクセスしない。取得ユニット601がサービスがプライマリサイトにもセカンダリサイトにもアクセスしないことを検出する場合、第1の命令サブユニット6022が、セカンダリサイトに電力を削減するように命令し、取得ユニット601がサービスがプライマリサイトにアクセスすることを検出する場合、第2の命令サブユニット6023が、プライマリサイトに関連するセカンダリサイトに開始するかまたは電力を増やすように命令する。
【０１０２】
本発明の実施形態で言及される「開始する」および「シャットダウンする」は相対的であり、「電力を増やす」および「電力を削減する」は相対的であることに留意されたい。すなわち、セカンダリサイトの状態が現在「シャットダウンされている」である場合、セカンダリサイトは開始するように命令され、セカンダリサイトの状態が現在「開始されている」であるが、電力が通常の動作電力未満である(例えば、通常の動作電力の50%に過ぎない)場合、セカンダリサイトは、例えば、通常の動作電力まで電力を増やすように命令される。さらに、基地局の起動後に必要とされる電力は、実際の適用例の要件に応じて設定され得ることに留意されたい。
【０１０３】
任意で、期間が事前に設定されてもよい。プライマリサイトに関連するセカンダリサイトは、事前に設定された期間内のプライマリサイトおよびプライマリサイトに関連するセカンダリサイトのトラフィック量が第1の事前に設定された閾値以下であると判定されるときにのみ、電力を削減するように命令される。すなわち、以下の通りである。
【０１０４】
判定サブユニット6021は、特に、プライマリサイトおよびプライマリサイトに関連するセカンダリサイトのトラフィック量が、事前に設定された期間中、第1の事前に設定された閾値以下であるかどうかを判定するように構成され、
第1の命令サブユニット6022は、特に、判定サブユニット6021が、プライマリサイトおよびプライマリサイトに関連するセカンダリサイトのトラフィック量が、事前に設定された期間中、事前に設定された閾値以下であると判定するとき、プライマリサイトに関連するセカンダリサイトに電力を削減するように命令するように構成されている。
【０１０５】
取得ユニット601は、特に、プライマリサイトおよびセカンダリサイトのユーザ数またはRBの利用率を監視することによってプライマリサイトおよびセカンダリサイトのトラフィック量を判定するように構成されている。
【０１０６】
例えば、サービスがアクセスするかどうかを判定する場合、プライマリサイトのユーザ数またはRBの利用率が0である場合、いかなるサービスもプライマリサイトにアクセスしないと判定され、同様に、セカンダリサイトのユーザ数またはRBの利用率が0である場合、いかなるサービスもセカンダリサイトにアクセスしないと判定され、そうではなく、プライマリサイトのユーザ数またはRBの利用率が0でない場合、サービスがプライマリサイトにアクセスすると判定され、セカンダリサイトのユーザ数またはRBの利用率が0でない場合、サービスがセカンダリサイトにアクセスすると判定される。
【０１０７】
次いで、第2の命令サブユニット6023は、特に、取得ユニット601がプライマリサイトのユーザ数またはRBの利用率が第2の閾値を超えることを検出するとき、例えば、ユーザ数またはRBの利用率が0より大きいとき、プライマリサイトに関連するセカンダリサイトに開始するかまたは電力を増やすように命令するように構成されている。
【０１０８】
第1の命令サブユニット6022は、特に、監視ユニット601が、プライマリサイトおよびプライマリサイトに関連するセカンダリサイトのユーザ数またはRBの利用率が、事前に設定された時間中、第1の事前に設定された閾値以下であることを検出するとき、例えば、ユーザ数またはRBの利用率が0であるとき、セカンダリサイトに電力を削減するように命令するように構成されている。
【０１０９】
任意で、制御ユニット602は、取得ユニット601によって取得されるプライマリサイトおよびプライマリサイトに関連するセカンダリサイトのトラフィック量に応じてプライマリサイトの電力を制御するようにさらに構成されている。詳細は、本明細書において繰り返されない。詳細に関しては、上述の方法の実施形態が参照可能である。
【０１１０】
さらに、開始または電力の増加および電力の削減の決まった時間がプライマリサイトおよびセカンダリサイトに対して設定することもでき、そのとき、その他の期間中、制御は、基地局のトラフィック量に応じて実行される。これは、図6bに示されるように、ネットワークデバイスが判定ユニット603をさらに含み得ることを意味する。
【０１１１】
判定ユニット603は、現在の時間が事前に設定された管理時間内であるかどうかを判定するように構成されている。
【０１１２】
事前に設定された管理時間、事前に設定された開始または電力の増加および電力の削減の時間は、実際の適用例の要件に応じて設定され得る。
【０１１３】
次いで、取得ユニット601は、判定ユニット603が現在の時間が事前に設定された管理時間内であると判定するときにプライマリサイトおよびセカンダリサイトのトラフィック量を監視するようにさらに構成されている。
【０１１４】
図6bに示されるように、運用保守デバイスは、第3の命令ユニット604をさらに含み得る。
【０１１５】
第3の命令ユニット604は、判定ユニット603が現在の時間が事前に設定された管理時間内であると判定するとき、事前に設定された開始もしくは電力の増加の時間に従って、プライマリサイトおよびセカンダリサイトに開始するかもしくは電力を増やすように命令し、ならびに/または事前に設定された電力の削減の時間に従って、プライマリサイトおよびセカンダリサイトに電力を削減するように命令するように構成されている。
【０１１６】
上述のユニットの具体的な実装形態については、本明細書において繰り返されない。詳細に関しては、上述の方法の実施形態が参照可能である。詳細は、本明細書において繰り返されない。
【０１１７】
上記のように、この実施形態のネットワークデバイスの制御ユニット602は、基地局のトラフィック量に応じて基地局の電力を柔軟に制御することができる。例えば、プライマリサイトのトラフィック量が第2の事前に設定された閾値を超えるときは、第2の命令サブユニット6023が、基地局に、その基地局を開始するように、またはその基地局の電力を増やすように命令し、プライマリサイトおよびセカンダリサイトのトラフィック量が第2の事前に設定された閾値以下であるときは、第1の命令サブユニット6022が、基地局に、その基地局の電力を削減するように命令し、それによって、リソースを合理的に利用する。
【０１１８】
したがって、本発明の実施形態は、さらに、基地局を提供する。図7aに示されるように、基地局は、受信ユニット701および処理ユニット702を含む。
【０１１９】
受信ユニット701は、OMまたは別の基地局によって送信された命令を受信するように構成され、別の基地局は、ローカルサイトに関連するプライマリサイト、またはローカルサイトに関連するプライマリサイトに関連する別のセカンダリサイトである。
【０１２０】
これは、ローカルサイトがプライマリサイトまたはセカンダリサイトであるとき、命令が、基地局のトラフィック量に応じてOMによって送信され得ることを意味する。例えば、これは、具体的には、以下の通りとすることができる。
【０１２１】
OMは、プライマリサイトおよびプライマリサイトに関連するセカンダリサイトのトラフィック量を監視し、プライマリサイトのトラフィック量が第2の事前に設定された閾値を超えると判定される場合、プライマリサイトに関連するセカンダリサイトに開始するかまたは電力を増やすように命令し、プライマリサイトおよびプライマリサイトに関連するセカンダリサイトのトラフィック量が、事前に設定された時間中、第1の事前に設定された閾値以下であると判定される場合、プライマリサイトに関連するセカンダリサイトに電力を削減するように命令する。
【０１２２】
基地局がセカンダリサイトであるとき、命令は、セカンダリサイトに関連するプライマリサイトによって送信され得る。例えば、これは、具体的には、以下の通りとすることができる。
【０１２３】
プライマリサイトおよびプライマリサイトに関連するセカンダリサイトが、それらのサイトのユーザ数またはRBの利用率を調べることによって、それらのサイトのトラフィック量をそれぞれ取得する。次いで、セカンダリサイトが、セカンダリサイトに関連するプライマリサイトにトラフィック量を知らせ、プライマリサイトが、受信されたトラフィック量に応じて、プライマリサイトに関連するセカンダリサイトの電力を制御する。例えば、それ自体(すなわち、そのプライマリサイト)のトラフィック量が第2の事前に設定された閾値を超えると判定されるとき、プライマリサイトは、プライマリサイトに関連するセカンダリサイトに開始するかまたは電力を増やすように命令し、プライマリサイトおよびプライマリサイトに関連するセカンダリサイトのトラフィック量が両方とも第1の事前に設定された閾値以下であると判定されるとき、プライマリサイトは、プライマリサイトに関連するセカンダリサイトに電力を減らすように命令する。
【０１２４】
OMまたはプライマリサイトによって送信される命令は、直接的または間接的に送信され得ることに留意されたい。例えば、OMがプライマリサイトに命令する可能性があり、次に、プライマリサイトがプライマリサイトに関連するその他のセカンダリサイトに命令するか、またはOMもしくはプライマリサイトがセカンダリサイトのうちの1つに命令する可能性があり、次に、命令を受信するセカンダリサイトがその他のセカンダリサイトに命令する。
【０１２５】
処理ユニット702は、受信ユニット701によって受信された命令の指示に従って、ローカルサイトの電力および/またはローカルサイトに関連するセカンダリサイトの電力を制御するように構成されている。具体的には、基地局がプライマリサイトである場合、処理ユニット702は、受信ユニット701によって受信された指示に従って、そのプライマリサイト自体の電力およびプライマリサイトに関連するセカンダリサイトの電力を制御することができ、基地局がセカンダリサイトである場合、処理ユニット702は、受信ユニット701によって受信された命令の指示に従ってそのセカンダリサイト自体の電力を制御することができる。
【０１２６】
処理ユニット701は、第1の処理サブユニットおよび第2の処理サブユニットを含み得る。
【０１２７】
第1の処理サブユニットは、受信ユニット701によって受信された命令が基地局のシャットダウンまたは基地局の電力の削減を示すとき、基地局の電力を削減するように構成されている。例えば、電力は、基地局をシャットダウンすることを意味する0まで削減されることも、または、元の電力の半分まで削減されることもある。
【０１２８】
第2の処理サブユニットは、受信ユニット701によって受信された命令が基地局の起動または基地局の電力の増加を示すとき、基地局を開始するかまたは基地局の電力を増やすように構成されている。
【０１２９】
本明細書において言及される「開始する」および「シャットダウンする」は相対的であり、「電力を増やす」および「電力を削減する」は相対的であることに留意されたい。すなわち、セカンダリサイトの状態が現在「シャットダウンされている」である場合、セカンダリサイトは開始するように命令され、セカンダリサイトの状態が現在「開始されている」であるが、電力が通常の動作電力未満である(例えば、通常の動作電力の50%に過ぎない)場合、セカンダリサイトは、例えば、通常の動作電力まで電力を増やすように命令される。さらに、基地局の起動後に必要とされる電力は、実際の適用例の要件に応じて設定され得ることに留意されたい。
【０１３０】
上述のユニットの具体的な実装形態については、本明細書において繰り返されない。詳細に関しては、上述の方法の実施形態が参照可能である。
【０１３１】
上記のように、この実施形態の基地局の受信ユニット701は、基地局のトラフィック量に応じてOMによって送信された命令を受信することができ、そのとき、処理ユニット702は、受信された命令の指示に従って基地局の電力を制御する。例えば、基地局のトラフィック量が0より大きいとき、第2の処理サブユニットが基地局を開始するかまたは基地局の電力を増やし、基地局のトラフィック量が0未満であるとき、第1の処理サブユニットが基地局の電力を削減し、それによって、基地局の電力の柔軟な制御およびリソースの合理的な利用を実施する。
【０１３２】
したがって、本発明の実施形態は、本発明の実施形態で提供された任意のネットワークデバイスおよび任意の基地局を含む通信システムをさらに提供する。
【０１３３】
ネットワークデバイスは、プライマリサイトおよびプライマリサイトに関連するセカンダリサイトのトラフィック量を取得し、プライマリサイトおよびプライマリサイトに関連するセカンダリサイトのトラフィック量に応じてプライマリサイトに関連するセカンダリサイトの電力を制御するように構成され、例えば、プライマリサイトおよびプライマリサイトに関連するセカンダリサイトのトラフィック量が第1の事前に設定された閾値以下であると判定されるとき、セカンダリサイトに電力を削減するように命令し、例えば、電力は、基地局をシャットダウンすることを意味する0まで削減されることも、または、元の電力の半分まで削減されることもあり、ネットワークデバイスは、プライマリサイトのトラフィック量が第2の事前に設定された閾値を超えると判定されるとき、プライマリサイトに関連するセカンダリサイトに開始するかまたは電力を増やすように指示するようにさらに構成されている。
【０１３４】
セカンダリサイトとして働く基地局は、運用保守デバイス(OM)または別の基地局によって送信された命令を受信し、命令の指示に従って基地局の電力を制御し、例えば、命令が基地局の電力の削減を示す場合は基地局の電力を削減し、命令が基地局の起動または基地局の電力の増加を示す場合は基地局を開始するかまたは基地局の電力を増やすように構成されている。
【０１３５】
第1の事前に設定された閾値は、第2の事前に設定された閾値以下である。第1の事前に設定された閾値および第2の事前に設定された閾値は、事前に設定されたポリシーに従って設定され、例えば、概して、0に設定され得る。具体的に言えば、プライマリサイトおよびプライマリサイトに関連するセカンダリサイトへのサービスのアクセスがあるかどうかが判定され、運用保守デバイスは、サービスがプライマリサイトにもセカンダリサイトにもアクセスしないことを検出する場合、セカンダリサイトである基地局に電力を削減するように命令し、運用保守デバイスがサービスがプライマリサイトにアクセスすることを検出する場合、第2の命令サブユニット6023が、プライマリサイトに関連するセカンダリサイトに開始するかまたは電力を増やすように命令する。
【０１３６】
通信システムの具体的な実装形態については、本明細書において繰り返されない。詳細に関しては、上述およびネットワークデバイスの方法の実施形態が参照可能である。
【０１３７】
通信システムは、高速鉄道および高速道路などの、基地局の設置にチェーントポロジーが採用される場合に適用され得る。
【０１３８】
上記のように、この実施形態の通信システムのネットワークデバイスは、基地局のトラフィック量に応じて基地局の電力を柔軟に制御することができる。例えば、基地局のトラフィック量が第2の事前に設定された閾値を超えるとき、ネットワークデバイスは、基地局を開始するかまたは基地局の電力を増やし、基地局のトラフィック量が第1の閾値以下であるとき、ネットワークデバイスは、基地局の電力を削減する。この解決策によって、リソースの合理的な利用が実施され得る。
【０１３９】
当業者は、上述の実施形態で提供された方法のステップのすべてまたは一部が、プログラムの命令の下でハードウェアによって実施され得ることを理解する。このプログラムは、読み出し専用メモリ(ROM、Read Only Memory)、ランダムアクセスメモリ(RAM、Random Access Memory)、磁気ディスク、またはCD-ROMなどのコンピュータ可読ストレージ媒体に記憶され得る。
【０１４０】
本発明の実施形態による基地局の電力を制御するための方法およびデバイスが、上で詳細に説明されている。本明細書においては、本発明の原理および実装形態が、特定の例を通じて説明されている。本発明の実施形態についての説明は、単に、本発明の方法および中心となる考え方の理解を容易にするために提供されているに過ぎない。当業者は、本発明の考え方に従って、具体的な実装形態および適用範囲に関して、本発明に変更および修正を行うことができる。したがって、本明細書は、本発明に対する限定と見なされてはならない。
【符号の説明】
【０１４１】
C1  セル、プライマリサイト
C2  セル、セカンダリサイト
C3  セル、セカンダリサイト
C4  セカンダリサイト
C5  プライマリサイト
C6  セカンダリサイト
C7  セカンダリサイト
C8  プライマリサイト
601  取得ユニット
602  制御ユニット
6021  判定サブユニット
6022  第1の命令サブユニット
6023  第2の命令サブユニット
603  判定ユニット
604  第3の命令ユニット
701  受信ユニット
702  処理ユニット
【図１ａ】
2014504092.tif 000004
【図１ｂ】
2014504092.tif 000005
【図２】
2014504092.tif 000006
【図３】
2014504092.tif 000007
【図４ａ】
2014504092.tif 000008
【図４ｂ】
2014504092.tif 000009
【図５】
2014504092.tif 000010
【図６ａ】
2014504092.tif 000011
【図６ｂ】
2014504092.tif 000012
【図７】
2014504092.tif 000013
【手続補正書】
【提出日】平成25年7月18日(2013.7.18)
【手続補正１】
【補正対象書類名】明細書
【補正対象項目名】００２２
【補正方法】変更
【補正の内容】
【００２２】
例えば、サービスのアクセスが存在するかどうか(すなわち、トラフィック量が0であるかどうか)を判定する場合、プライマリサイトのユーザ数またはRBの利用率が0である場合、いかなるサービスもプライマリサイトにアクセスしないと判定され、同様に、セカンダリサイトのユーザ数またはRBの利用率が0である場合、いかなるサービスもセカンダリサイトにアクセスしないと判定され、そうではなく、プライマリサイトのユーザ数またはRBの利用率が0でない場合、サービスがプライマリサイトにアクセスすると判定され、セカンダリサイトのユーザ数またはRBの利用率が0でない場合、サービスがセカンダリサイトにアクセスすると判定され、ステップ102において詳細に説明されるように、サービスがプライマリサイトにもセカンダリサイトにもアクセスしない場合、プライマリサイトに関連するセカンダリサイトは電力を減らすように命令され、サービスがプライマリサイトにアクセスする場合、プライマリサイトに関連するセカンダリサイトは、開始するかまたは電力を増やすように命令される。
【手続補正２】
【補正対象書類名】明細書
【補正対象項目名】００７６
【補正方法】変更
【補正の内容】
【００７６】
404.  列車がC5に到着するとき、OMは、線路沿いのすべての基地局をやはり監視し、OMが、プライマリサイトC5のトラフィック量が0より大きい、つまり、サービスがアクセスすることを検出する場合、ステップ405が実行され、またはそうではなく、OMが、プライマリサイトC1、C5、およびC8ならびにセカンダリサイトC2、C3、C4、C6、およびC7のトラフィック量がすべて0である、つまり、いかなるサービスもアクセスしないことを検出する場合、ステップ406が実行される。
【手続補正３】
【補正対象書類名】明細書
【補正対象項目名】０１０８
【補正方法】変更
【補正の内容】
【０１０８】
第1の命令サブユニット6022は、特に、取得ユニット601が、プライマリサイトおよびプライマリサイトに関連するセカンダリサイトのユーザ数またはRBの利用率が、事前に設定された時間中、第1の事前に設定された閾値以下であることを検出するとき、例えば、ユーザ数またはRBの利用率が0であるとき、セカンダリサイトに電力を削減するように命令するように構成されている。
【手続補正４】
【補正対象書類名】明細書
【補正対象項目名】０１１４
【補正方法】変更
【補正の内容】
【０１１４】
図6bに示されるように、ネットワークデバイスは、第3の命令ユニット604をさらに含み得る。
【手続補正５】
【補正対象書類名】明細書
【補正対象項目名】０１２６
【補正方法】変更
【補正の内容】
【０１２６】
処理ユニット702は、第1の処理サブユニットおよび第2の処理サブユニットを含み得る。
【手続補正６】
【補正対象書類名】明細書
【補正対象項目名】０１３１
【補正方法】変更
【補正の内容】
【０１３１】
上記のように、この実施形態の基地局の受信ユニット701は、基地局のトラフィック量に応じてOMによって送信された命令を受信することができ、そのとき、処理ユニット702は、受信された命令の指示に従って基地局の電力を制御する。例えば、基地局のトラフィック量が0より大きいとき、第2の処理サブユニットが基地局を開始するかまたは基地局の電力を増やし、基地局のトラフィック量が0に等しいとき、第1の処理サブユニットが基地局の電力を削減し、それによって、基地局の電力の柔軟な制御およびリソースの合理的な利用を実施する。
【手続補正７】
【補正対象書類名】明細書
【補正対象項目名】０１３５
【補正方法】変更
【補正の内容】
【０１３５】
第1の事前に設定された閾値は、第2の事前に設定された閾値以下である。第1の事前に設定された閾値および第2の事前に設定された閾値は、事前に設定されたポリシーに従って設定され、例えば、概して、0に設定され得る。具体的に言えば、プライマリサイトおよびプライマリサイトに関連するセカンダリサイトへのサービスのアクセスがあるかどうかが判定され、運用保守デバイスは、サービスがプライマリサイトにもセカンダリサイトにもアクセスしないことを検出する場合、セカンダリサイトである基地局に電力を削減するように命令し、運用保守デバイスがサービスがプライマリサイトにアクセスすることを検出する場合、プライマリサイトに関連するセカンダリサイトに開始するかまたは電力を増やすように命令する。
【手続補正８】
【補正対象書類名】特許請求の範囲
【補正対象項目名】全文
【補正方法】変更
【補正の内容】
【特許請求の範囲】
【請求項１】
基地局の電力を制御するための方法であって、
プライマリサイトのトラフィック量および前記プライマリサイトに関連するセカンダリサイトのトラフィック量を取得するステップであって、前記プライマリサイトおよび前記セカンダリサイトは、事前に設定されたポリシーに従って基地局をカテゴリー分けすることによって得られる、ステップと、
前記プライマリサイトの前記トラフィック量および前記プライマリサイトに関連する前記セカンダリサイトの前記トラフィック量に応じて、前記プライマリサイトに関連する前記セカンダリサイトの電力を制御するステップと
を含む、方法。
【請求項２】
前記プライマリサイトの前記トラフィック量および前記プライマリサイトに関連する前記セカンダリサイトの前記トラフィック量に応じて、前記プライマリサイトに関連する前記セカンダリサイトの電力を前記制御するステップが、
前記プライマリサイトの前記トラフィック量および前記プライマリサイトに関連する前記セカンダリサイトの前記トラフィック量が第1の事前に設定された閾値以下であると判定するとき、前記プライマリサイトに関連する前記セカンダリサイトに前記電力を減らすように命令するステップ
を含む請求項1に記載の方法。
【請求項３】
前記プライマリサイトの前記トラフィック量および前記プライマリサイトに関連する前記セカンダリサイトの前記トラフィック量に応じて、前記プライマリサイトに関連する前記セカンダリサイトの電力を前記制御するステップが、
前記プライマリサイトの前記トラフィック量が第2の事前に設定された閾値を超えると判定するとき、前記プライマリサイトに関連する前記セカンダリサイトに開始するかまたは前記電力を増やすように命令するステップを含む請求項2に記載の方法。
【請求項４】
前記プライマリサイトの前記トラフィック量および前記プライマリサイトに関連する前記セカンダリサイトの前記トラフィック量を前記取得するステップが、
運用保守デバイスまたは前記プライマリサイトによって、前記プライマリサイトのユーザ数または無線ベアラの利用率および前記プライマリサイトに関連する前記セカンダリサイトのユーザ数または無線ベアラの利用率を監視することによって前記プライマリサイトの前記トラフィック量および前記プライマリサイトに関連する前記セカンダリサイトの前記トラフィック量を判定するステップを含み、
前記プライマリサイトの前記トラフィック量および前記プライマリサイトに関連する前記セカンダリサイトの前記トラフィック量に応じて、前記プライマリサイトに関連する前記セカンダリサイトの電力を前記制御するステップが、前記運用保守デバイスまたは前記プライマリサイトによって、前記プライマリサイトの前記トラフィック量および前記プライマリサイトに関連する前記セカンダリサイトの前記トラフィック量に応じて、前記プライマリサイトに関連する前記セカンダリサイトの前記電力を制御するステップ
を含む請求項1から3のいずれか一項に記載の方法。
【請求項５】
前記プライマリサイトの前記トラフィック量および前記プライマリサイトに関連する前記セカンダリサイトの前記トラフィック量に応じて、前記プライマリサイトの電力を制御するステップ
をさらに含む請求項1から4のいずれか一項に記載の方法。
【請求項６】
前記プライマリサイトの前記トラフィック量および前記プライマリサイトに関連する前記セカンダリサイトのトラフィック量を前記取得するステップの前に、
現在の時間が事前に設定された管理時間の期間内であると判定するステップ
をさらに含む請求項1から5のいずれか一項に記載の方法。
【請求項７】
基地局の電力を制御するための方法であって、
運用保守デバイスまたは別の基地局によって送信された命令を受信するステップであって、前記別の基地局は、ローカルサイトに関連するプライマリサイト、または前記ローカルサイトに関連するプライマリサイトに関連する別のセカンダリサイトである、ステップと、
前記命令の指示に従って、前記ローカルサイトの電力および/または前記ローカルサイトに関連する前記セカンダリサイトの電力を制御するステップであって、前記命令の前記指示は、前記プライマリサイトのトラフィック量および前記プライマリサイトに関連する前記セカンダリサイトのトラフィック量に応じて決定される、ステップと
を含む、方法。
【請求項８】
プライマリサイトのトラフィック量および前記プライマリサイトに関連するセカンダリサイトのトラフィック量を取得するように構成された取得ユニットであって、前記プライマリサイトおよび前記セカンダリサイトは、事前に設定されたポリシーに従って基地局をカテゴリー分けすることによって得られる、取得ユニットと、
前記取得ユニットによって取得される前記プライマリサイトの前記トラフィック量および前記プライマリサイトに関連する前記セカンダリサイトの前記トラフィック量に応じて、前記プライマリサイトに関連する前記セカンダリサイトの電力を制御するように構成された制御ユニットと
を備えるネットワークデバイス。
【請求項９】
前記制御ユニット(602)が、判定サブユニットおよび第1の命令サブユニットを含み、
前記判定サブユニットは、前記プライマリサイトの前記トラフィック量および前記プライマリサイトに関連する前記セカンダリサイトの前記トラフィック量が第1の事前に設定された閾値以下であるかどうかを判定するように構成され、
前記第1の命令サブユニットは、前記判定サブユニットが前記プライマリサイトの前記トラフィック量および前記プライマリサイトに関連する前記セカンダリサイトの前記トラフィック量が前記第1の事前に設定された閾値以下であると判定するとき、前記プライマリサイトに関連する前記セカンダリサイトに電力を削減するように命令するように構成されている
請求項8に記載のネットワークデバイス。
【請求項１０】
前記判定サブユニットは、前記プライマリサイトの前記トラフィック量が第2の事前に設定された閾値を超えるかどうかを判定するようにさらに構成され、
前記ネットワークデバイスは、前記判定サブユニットが前記プライマリサイトの前記トラフィック量が前記第2の事前に設定された閾値を超えると判定するとき、前記プライマリサイトに関連する前記セカンダリサイトに開始するかまたは電力を増やすように命令するように構成された第2の命令サブユニット
をさらに備える請求項9に記載のネットワークデバイス。
【請求項１１】
前記取得ユニットは、特に、前記プライマリサイトのユーザ数または無線ベアラの利用率および前記セカンダリサイトのユーザ数または無線ベアラの利用率を監視することによって前記プライマリサイトの前記トラフィック量および前記プライマリサイトに関連する前記セカンダリサイトの前記トラフィック量を判定するように構成されている
請求項8から10のいずれか一項に記載のネットワークデバイス。
【請求項１２】
前記制御ユニットは、前記取得ユニットによって取得される前記プライマリサイトの前記トラフィック量および前記プライマリサイトに関連する前記セカンダリサイトの前記トラフィック量に応じて前記プライマリサイトの電力を制御するようにさらに構成されている
請求項8から11のいずれか一項に記載のネットワークデバイス。
【請求項１３】
判定ユニットをさらに備え、
前記判定ユニットは、現在の時間が事前に設定された管理時間内であるかどうかを判定するように構成され、
前記取得ユニットは、前記判定ユニットが前記現在の時間が前記事前に設定された管理時間内であると判定するときに前記プライマリサイトの前記トラフィック量および前記プライマリサイトに関連する前記セカンダリサイトの前記トラフィック量を取得するようにさらに構成されている
請求項8から12のいずれか一項に記載のネットワークデバイス。
【請求項１４】
運用保守デバイスまたは基地局である
請求項8から13のいずれか一項に記載のネットワークデバイス。
【請求項１５】
基地局であって、
運用保守デバイスまたは別の基地局によって送信された命令を受信するように構成された受信ユニットであって、前記別の基地局は、ローカルサイトに関連するプライマリサイト、または前記ローカルサイトに関連する前記プライマリサイトに関連する別のセカンダリサイトである、受信ユニットと、
前記受信ユニットによって受信された前記命令の指示に従って、前記ローカルサイトの電力および/または前記ローカルサイトに関連する前記セカンダリサイトの電力を制御するように構成された処理ユニットであって、前記命令の前記指示は、前記プライマリサイトのトラフィック量および前記プライマリサイトに関連する前記セカンダリサイトのトラフィック量に応じて決定される、処理ユニットと
を備える基地局。
【請求項１６】
請求項1から7のいずれか一項に記載の方法をコンピュータに実行させるプログラム。
【国際調査報告】
2014504092.tif 000014
2014504092.tif 000015
2014504092.tif 000016
2014504092.tif 000017
2014504092.tif 000018
2014504092.tif 000019